【手続補正書】
【提出日】平成18年8月23日(2006.8.23)
【手続補正１】
【補正対象書類名】明細書
【補正対象項目名】全文
【補正方法】変更
【補正の内容】
【書類名】  明細書
【発明の名称】  レンズ鏡筒用アクセサリおよびレンズ鏡筒
【特許請求の範囲】
【請求項１】  レンズ鏡筒の先端部に周方向に沿って形成されたバヨネット爪とフランジ部の間に入り込む内周突起を有し、回転させることにより前記レンズ鏡筒に着脱可能なレンズ鏡筒用アクセサリにおいて、
アクセサリ本体と、該アクセサリ本体と別部材で形成された弾性変形可能なクリック部材を有し、
前記レンズ鏡筒に対する該アクセサリの着脱の際に、前記クリック部材は、前記バヨネット爪の外周部に対して弾性変形しながら摺動するとともに、前記バヨネット爪の外周部に形成された斜面部との当接によって、該斜面部以外の領域での弾性変形量よりも少ない量で弾性変形することを特徴とするレンズ鏡筒用アクセサリ。
【請求項２】  前記クリック部材は、前記アクセサリ本体に対する前記クリック部材の位置を決めるための複数の位置決め部と、これらの位置決め部の間に位置し、前記バヨネット爪との当接によって弾性変形するトルク発生部を有することを特徴とする請求項１に記載のレンズ鏡筒用アクセサリ。
【請求項３】  前記アクセサリ本体は、
前記位置決め部と当接して、該アクセサリの周方向及び径方向における前記クリック部材の位置決めを行うための凹部と、
弾性変形可能であって、該アクセサリの回転軸方向における前記クリック部材の位置決めを行うための爪部とを有することを特徴とする請求項２に記載のレンズ鏡筒用アクセサリ。
【請求項４】  前記アクセサリ本体は、前記クリック部材のトルク発生部の弾性変形を許容するための逃げ部を有することを特徴とする請求項２又は３に記載のレンズ鏡筒用アクセサリ。
【請求項５】  前記クリック部材を複数有しており、これらのクリック部材は、該アクセサリの回転軸を挟んで互いに対向する位置に設けられていることを特徴とした請求項１から４のいずれか１つに記載のレンズ鏡筒用アクセサリ。
【請求項６】  前記クリック部材は、前記アクセサリ本体よりも摺動性の高い材料で形成され、前記アクセサリ本体は、前記クリック部材よりも剛性の高い材料で形成されていることを特徴とする請求項１から５のいずれか１つに記載のレンズ鏡筒用アクセサリ。
【請求項７】  請求項１から６のいずれか１つに記載のレンズ鏡筒用アクセサリが着脱可能に装着されるレンズ鏡筒であって、
先端部に周方向に沿って形成された複数のバヨネット爪とフランジ部を有し、
前記バヨネット爪は、この端部において、前記レンズ鏡筒用アクセサリのクリック部材の弾性変形を解除する斜面部を有することを特徴とするレンズ鏡筒。
【発明の詳細な説明】
【０００１】
【発明の属する技術分野】
本発明は、写真レンズ，ビデオレンズ等を有するレンズ鏡筒用のアクセサリに係り、特に有害光線をカットするフードの着脱構造に関するものである。
【０００２】
【従来の技術】
従来のレンズ鏡筒のアクセサリ着脱構造として、特開平６−１３０４６６号公報に開示のものがある。この従来のレンズ鏡筒のアクセサリ着脱構造（第１の従来例）は、図９および図１０に示すように構成されている。図９は従来のアクセサリであるフードの正面図、図１０は従来のレンズ鏡筒とフードの展開を示す展開図である。
【０００３】
レンズ鏡筒１１０の先端部にアクセサリとしてのフード１２０を矢印１３０に示す方向に挿入していくと、レンズ鏡筒１１０にフード１２０が入り込み、この時フード１２０の平面部であるフード側チャージ部１２４は、レンズ鏡筒１１０の平面部であるチャージ部導入部１１１ｂのために干渉することなく着脱可能である。
【０００４】
次に、矢印１３１方向にフード１２０を回転させていくと、フード１２０のフード側チャージ部１２４は、レンズ鏡筒１１０のチャージ部導入部１１１ｂからバヨネット爪１１１の外周部に乗り上げ、フード１２０全体の弾性変形と弾性穴部１２５の弾性によりチャージしつつ摺動していく。
【０００５】
さらにフード１２０を矢印１３１方向に回転させていくと、フード１２０のフード側チャージ部１２４は、レンズ鏡筒１１０の平面部であるクリック感触部１１１ａによりチャージ力が緩和され、クリック感を再現すると同時に、レンズ鏡筒１１０のストッパー部１１１ｃにフード１２０の結合部１２３が突き当たり、フード取り付け動作が完了する。
【０００６】
このような構成により取り付ける時のクリック感の感触を良好にしている提案を本出願人は提案している。
【０００７】
また、実開平６−５５１３９号に開示のレンズ鏡筒のアクセサリ着脱構造（第２の従来例）は、図１１に示すような構成であり、レンズフード２００の内周上にバヨネット爪部２２０を均等に３か所設け、バヨネット爪部２２０の一部に切欠部２２１を形成し、その切欠部２２１に円形シリコンゴム２１０をビス２１１によって固定している。
【０００８】
撮影用レンズ３００には、レンズフード２００のバヨネット爪部２２０に対応する凹溝部３３１がレンズ側爪部３３０によって形成され、撮影用レンズ３００の先端外周上にバヨネット爪部２２０に対応して凹溝部３３１が３か所設けられている。
【０００９】
この様にバヨネット爪部２２０の一部を切り欠き、その切欠部２２１に爪部の幅より広い弾性部材である円形シリコンゴム２１０をビス２１１により固設することにより、全ての撮影用レンズとレンズフードを確実に固定し、着脱の操作性を向上させたものも提案されている。
【００１０】
【発明が解決しようとする課題】
しかしながら、上記第１の従来例では、レンズ鏡筒のアクセサリであるフードをレンズ鏡筒に取り付ける時のクリック感を、その感触が良好になるように寸法設定を行うのが難しく、また、装着トルク感をフード本体の変形に頼っているため、強度を上げるにも限界がある。
【００１１】
しかも摺動部自体もフード本体と同部材であるため、フード装着の際に強めに握って回転させると、変形してしまい所定のトルク感を得ることができないという問題点があった。また摺動性も好ましくなくなる為、耐久性という点でも問題があった。
【００１２】
第２の従来例では、シリコンゴムをレンズフードの内径側からビス止めしている構成であり、レンズフードの成形型の構成上内径スライドが必須となり、コストアップ要因となってしまう。
【００１３】
また、内側からビス止めしている為、作業性にも難があった。さらに、シリコンゴムをチャージしながらバヨネット結合しているのみであり、取り付け完了の感覚を撮影者が得られにくいという問題もあった。
【００１４】
本発明の目的は、アクセサリの着脱部を２体化し着脱のトルク感、クリック感といった操作感の向上を簡易な構成で図ることである。
【００１５】
（削除）
【００１６】
（削除）
【００１７】
（削除）
【００１８】
（削除）
【００１９】
（削除）
【００２０】
（削除）
【００２１】
【課題を解決するための手段】
本発明は、レンズ鏡筒の先端部に周方向に沿って形成されたバヨネット爪とフランジ部の間に入り込む内周突起を有し、回転させることにより該レンズ鏡筒に着脱可能なレンズ鏡筒用アクセサリにおいて、アクセサリ本体と、該アクセサリ本体と別部材で形成された弾性変形可能なクリック部材を有し、前記レンズ鏡筒に対する該アクセサリの着脱の際に、前記クリック部材は、前記バヨネット爪の外周部に対して弾性変形しながら摺動するとともに、前記バヨネット爪の外周部に形成された斜面部との当接によって、該斜面部以外の領域での弾性変形量よりも少ない量で弾性変形することを特徴とするものである。
【００２２】
この構成では、着脱のトルク感、クリック感といった操作感の向上を簡易な構成で図ることができる。
【００２３】
（削除）
【００２４】
（削除）
【００２５】
（削除）
【００２６】
（削除）
【００２７】
また、前記クリック部材に、前記アクセサリ本体に対する前記クリック部材の位置を決めるための複数の位置決め部と、これらの位置決め部の間に位置し、前記バヨネット爪との当接によって弾性変形するトルク発生部を設けることができる。さらに、前記アクセサリ本体に、前記位置決め部と当接して、該アクセサリの周方向及び径方向における前記クリック部材の位置決めを行う凹部と、該アクセサリの回転軸方向における前記クリック部材の位置決めを行う爪部とを設けることができる。
【００２８】
この構成では、上記着脱トルク感、クリック感を所定の量、位置にて発生させることができる。また、２体化しているアクセサリの組み立てを容易にするとともに更に別の固定部材を用いることなく固定することができコストアップを抑制できる。
【００２９】
また、前記アクセサリ本体に、前記クリック部材のトルク発生部の弾性変形を許容するための逃げ部を設けることができる。
【００３０】
この構成では、着脱トルクをクリック部材の弾性変形にのみに起因するようにすることができ、スムースな操作感を得ることができる。
【００３１】
また、前記クリック部材を複数設け、これらのクリック部材を、該アクセサリの回転軸を挟んで互いに対向する位置に設けることができる。
【００３２】
この構成では、上記操作感を確実に発生させることができる。
【００３３】
また、前記クリック部材を前記アクセサリ本体よりも摺動性の高い材料で形成し、前記アクセサリ本体を前記クリック部材よりも剛性の高い材料で形成することができる。
【００３４】
この構成では、耐久性向上と変形防止を図ることができる。
【００３５】
【発明の実施の形態】
以下、添付図面に従って本発明の実施の形態を説明する。
【００３６】
図１は、本発明の一実施の形態の構造を示したレンズ鏡筒のアクセサリであるフードとレンズ鏡筒先端部の斜視図であり、図２は、図１においてのレンズ鏡筒のアクセサリであるフードの着脱部付近を分かり易くする為に透視図で示した分解斜視図である。
【００３７】
図３は本発明の一実施の形態の特徴を表すレンズ鏡筒先端部の正面図、図４は、本発明の一実施の形態のレンズ鏡筒のアクセサリであるフードの正面図、図５は、フードのフード本体だけを表わした正面図、図６は図４のフードを逆から見た図である。図７はクリック部材の単品図である。図８は着脱部付近の展開模式図である。尚、部位等を示す符号はすべての図で共通に表現している。
【００３８】
図１、図３において、５０はレンズ鏡筒の先端部であるアクセサリ取り付け枠である。このアクセサリ取り付け枠５０には、フード１を取り付けるためのバヨネット爪５１が周方向対向２か所に設けられていると共に、このバヨネット爪５１の後方にアクセサリ取り付け枠５０の周方向に延びるフランジ部５２が設けられている。
【００３９】
バヨネット爪５１の周方向両端部にはそれぞれ、クリック感を発生させる為の斜面部であるクリック感発生部５３と、フード１に設けられたクリック部材３０を導入する為の斜面部であるクリック部導入部５４とが形成され、さらにこれらクリック感発生部５３とクリック部導入部５４に続いてストッパー部５５と、逆側ストッパー部５６とが形成されており、この構成が対角方向に同形状が展開する２本爪バヨネットとなっている。
【００４０】
５７はレンズ鏡筒内の構造部材にアクセサリ取り付け枠５０を取り付ける為の取り付け穴、５８はその位置を決める為の内周フランジである。尚、図３において、フランジ部５２は省略して表している。
【００４１】
次にフード１の構成を説明する。
【００４２】
図１、図２、図４、図５、図６において、１はフードであり、フード本体と２個のクリック部材３０によって構成されている。２はフード１の内周に設けられた突起形状のバヨネット爪で、フード１を正常にレンズ鏡筒（アクセサリ取り付け枠５０）に取り付けるために用いられる。３はフード１の内周に設けられた突起形状のバヨネット爪で、バヨネット爪２よりも前方（図４の手前側）に形成されており、フード収納時（フード１を図１に示す状態と逆に向けてレンズ鏡筒に取り付ける状態）に使用される。２つのバヨネット爪２、３の隣合う片端同士は、アクセサリ取り付け枠５０のバヨネット爪５１のスラスト方向（レンズ鏡筒の光軸方向Ｉ）における厚み分、スラスト方向の位置をずらして（バヨネット爪５１の光軸方向の厚みの隙間を隔てて）結合部４によって結合されており（図８参照）、この構成が対角方向に同形状配置されている。
【００４３】
なお、結合部４のうち、アクセサリ取り付け枠５０のバヨネット爪５１との当接部である両端面は、ストッパー部５５、５６の斜面と一致する形状となっている。
【００４４】
また、バヨネット爪２，３の結合部４以外の両端と、他の位相のバヨネット爪２，３の両端の間には、クリック部材３０が入り込む為の溝５が形成されている。
【００４５】
クリック部材３０が組み込まれるフード本体の構造について説明する。
【００４６】
６はクリック部材３０の回転方向（アクセサリ取り付け枠５０の周方向）の位置と、径方向（アクセサリ取り付け枠５０の径方向）の位置を決める位置決めのための凹部であり、一つのクリック部材３０に対して中心軸を軸として軸対称的に２箇所設けられている。７はクリック部材３０の光軸方向における抜け止め用の爪部であり、内径側の先端部は斜面８を有している。この爪部７を形成する為と、クリック部材３０の外径側の逃げ部を形成する為に、図４に示す後ろ側から穴９が設けられている。１０は強度アップ用のリブであり、フード本体の変形防止の役目を果たしている。また、結合部４の外周側にはリブ１０が設けてあり、ストッパー部の相手部（本実施形態ではストッパー部５５、５６）の乗り上げを防止している。
【００４７】
また、本実施の形態では、フード本体はガラス繊維入りのポリカーボネートで形成されている。
【００４８】
図２、図７において、フード１に取り付けられるクリック部材３０について説明する。
【００４９】
クリック部材３０は、全体が略円弧形状に形成され、周方向の中央部が内周側に凸形状で、摺動性および弾性に優れているＰＯＭで形成されている。前述した内周側に凸に形成されているトルク発生部３１は、レンズ鏡筒（アクセサリ取り付け枠５０）のバヨネット爪５１の外側を摺動し、装着トルクと、クリック感を発生させる。トルク発生部３１の両端側には凹部６に嵌合する周方向に延びる板状の円弧部３２、３２がそれぞれ形成されている。この円弧部３２、３２の先端が凹部６の周方向壁面に当接することにより、クリック部材３０の円周方向（回転方向）の位置決めが行われる。また、円弧部３２、３２の内周面３３と外周面３４が凹部６に当接することにより、クリック部材３０の径方向両側の位置決めが行われる。
【００５０】
クリック部材３０の両円弧部３２、３２の内側の外周側には、抜け止め部３５が形成され、クリック部材３０をフード本体に装着する際、クリック部材３０を光軸方向に沿って嵌合させるときに、図５の爪部７を弾性変形させた後に固定（所謂パッチン止め固定）される様に、クリック部材３０の裏面側は外径方向に斜面が形成されている。また、クリック部材３０には、装着感、クリック感を所望な値に設定する為の凹部３６が形成されており、この形状を変えることで所望の値に設定できる。また、クリック部材３０は、フード取り付け時、収納時と共に同じ効果を発揮する為に対称形状となっている。
【００５１】
次に、クリック部材３０のフード本体１への組み込みについて説明する。図２で示しているように、クリック部材３０をフード装着回転軸方向（図１のＩで示すレンズ鏡筒の光軸方向）から挿入していく。その際、抜け止め用の爪部７の斜面部８とクリック部材３０の抜け止め部３５の裏面の斜面部との当接により、爪部７は外径側に弾性変形し、クリック部材３０の抜け止め部３５は内径側に弾性変形しながら回転軸方向に進み、クリック部材３０の円弧部３２がフード本体１の凹部６に入り込むことで円周方向と径方向の位置が決められると共に、抜け止め部３５の手前に爪部７が掛かり（弾性変形が戻り）フード本体１と一体的に固定される。
【００５２】
この時、抜け止め部３５の外径側は爪部７が逃げており、また両円弧部３２の両端が周方向及び径方向においてフード本体に一体的に固定（位置決め）されている為、クリック部材３０のトルク発生部３１は径方向にのみ弾性変形できるようになる。
【００５３】
次に、レンズ鏡筒のアクセサリ取り付け枠５０に対するフード１の取り付け動作を図８にて説明する。矢印８０に沿ってアクセサリであるフード１をレンズ鏡筒のアクセサリ取り付け枠５０に挿入すると、フード１に固定されているクリック部材３０のトルク発生部３１は、レンズ鏡筒のアクセサリ取り付け枠５０のバヨネット爪５１に形成されている斜面部であるクリック部導入部５４のために、バヨネット爪５１と干渉することがなく、このため、フード１のバヨネット爪である内周突起２の前端面がフランジ部５２に当接するところまで挿入される。
【００５４】
次に、矢印８１方向にフード１を回転させていくと、フード１に固定されているクリック部材３０のトルク発生部３１は、レンズ鏡筒のアクセサリ取り付け枠５０のクリック部導入部５４からバヨネット爪５１の外周部に乗り上げ、トルク発生部３１が外径側に弾性変形しながら摺動していく。
【００５５】
その際、トルク発生部３１は、この弾性変形によりレンズ鏡筒側にチャージする為、着脱トルクを発生させることができる。さらに矢印８１方向に回転させていくと、クリック発生部３１は、レンズ鏡筒のアクセサリ取り付け枠５０のバヨネット爪５１に形成された斜面部（フード１の回転に従って斜面位置が内径方向に向かう軌跡を有する）であるクリック感発生部５３により、チャージ力が緩和され、クリック感が再現されると同時に、レンズ鏡筒のアクセサリ取り付け枠５０のストッパー部５５にフード１の結合部４が突き当たり、フード１の取り付け動作が完了する。
【００５６】
また、レンズ鏡筒のアクセサリ取り付け枠５０のクリック感発生部５３とクリック部導入部５４の両斜面部は角度が異なり、クリック感発生部５３を構成する斜面部の方がストッパー部５５、５６に対して角度が立っていることから、フード１のクリック発生部３１はバヨネット爪５１の外周上を摺動していた時より少ない量だけ弾性変形し、逆側ストッパー部５６側にて内径方向に若干落ち込んで装着が完了することになる。
【００５７】
従って、外す方向にフード１を回転させる場合には、回転初期に装着時より大きい乗り上げトルクが発生する為、フード１の装着後、回転方向へのずれを防止することができる。
【００５８】
逆に、フード１を外す際は、図８において、矢印８１方向と逆方向に回転させ、フードの結合部４（ストッパー部５５と当接する端部とは異なる端部）が逆側ストッパー部５６に突き当たるまで回転させた後、矢印８０方向と逆方向にフード１を移動させることで外すことができる。
【００５９】
なお、フード１のクリック発生部３１が着脱トルクを発生させている間にフード１が外れないように、フード１のバヨネット爪２の結合部４と反対側の端部（クリック部材側の端部）は、レンズ鏡筒のアクセサリ取り付け枠５０のクリック部導入部５４にクリック部材３０のトルク発生部３１が回転するまで外れないように、クリック部材３０の後ろ側まで形成されている。
【００６０】
フード収納時（逆かぶせ時）には、フード１の挿入方向を反対にするが、回転位相が９０°ずれるだけでクリック部材３０の形状が図７に示すように対称形状であるため、各部の機能、作用は同様である。
【００６１】
また、着脱トルクの調整はフード１に装着されるクリック部材３０に形成されている凹部３６の形状を変えることで容易に変更可能であり、リブ１０は結合部４の外径側に設けられているため、結合部４がストッパー部５５やストッパー部５６に乗り上げてしまうことはない。
【００６２】
また、クリック部材３０とフード本体の材質として、フード本体に剛性の高い材料を使用し、クリック部材３０に弾性、摺動性の高い材料を使用することで、構造部材であるフード本体は変形しにくく、フードの着脱トルクは弾性、摺動性の高い材料を使用しているクリック部材３０のみに頼ることができるため、装着感や耐久性を向上させることができる。尚、材料については性能上、上記と同様の機能を有するものであればこれに限ったものでないことは言うまでもない。
【００６３】
本実施の形態において、バヨネット爪５１は対角方向に同形状である２本爪バヨネットの構成とし、対向する位置にクリック部材３０を配置していることで、フード１に対して片寄せでなく自動的に調心作用が働く為、摺動時のガタ感や回転摺動時の着脱トルクの設定も容易に可能である。
【００６４】
また、本実施の形態においては２箇所の対角方向の２本のバヨネット爪３１で説明したが、３本爪、あるいはそれ以上でも作用，効果は変わるものではない。
【００６５】
また、上記構成によりクリック部材３０をフード１にビス等を用いることなく一体的に固定でき、またフード１、クリック部材３０共に内径スライドを有する型構成ではないため、最小限のコストで装着感、耐久性の向上を図ることができる。
【００６６】
一方、ビス等により完全にクリック部材３０をフード１に固定していないことから、装着時に、レンズ鏡筒のアクセサリ取り付け枠５０のクリック感発生部５３にてクリックが発生する際、又は脱着時にクリック部導入部５４にクリック部材３０が当接する際に、クリック部材３０の位置決め部としての内外周面３３、３４の近傍が急激にフード１の凹部６内で振動する為、音が発生し着脱の判断を操作感の他に音でもできるという２次的な作用も得ることができる。
【００６７】
また、本実施形においては、レンズ鏡筒のアクセサリとしてフード１についてのみ説明してきたが、レンズ鏡筒に着脱されるアクセサリであれば同様の構成の着脱構造を有するものに適用できることは言うまでもない。
【００６８】
【発明の効果】
以上説明したように、本発明によれば、着脱のトルク感、クリック感といった操作感の向上を簡易な構成で得られる効果がある。
【００６９】
（削除）
【００７０】
（削除）
【００７１】
（削除）
【００７２】
（削除）
【００７３】
（削除）
【００７４】
（削除）
【図面の簡単な説明】
【図１】
本発明の一実施の形態の構造を示したフードとレンズ鏡筒の斜視図。
【図２】
図１のフードの着脱部近傍の分解斜視図。
【図３】
図１のレンズ鏡筒の正面図。
【図４】
図１のレンズ鏡筒のアクセサリフードの正面図。
【図５】
図４のフードのフード本体のみを表した正面図。
【図６】
図４のフードの裏面図。
【図７】
図２のクリック部材の単品図。
【図８】
図１のフードの動作を説明する為の展開模式図。
【図９】
従来のフードを示す正面図。
【図１０】
図９のフードの着脱動作を説明するための展開図。
【図１１】
他の従来例を示す斜視図。
【符号の説明】
１…フード
２，３…バヨネット爪（内周突起）
４…結合部
５，６…凹部
３０…クリック部材
３１…トルク発生部
５０…レンズ鏡筒
５１…バヨネット爪
１…フランジ部
２…クリック感発生部
５４…クリック部導入部
５５、５６…ストッパー部
【手続補正２】
【補正対象書類名】図面
【補正対象項目名】図３
【補正方法】変更
【補正の内容】
【図３】
2001066666.tif 000001